【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
組織部位を治療するためのシステムにおいて、
第１の側面と第２の側面とを有するドレッシングボルスタと、
前記ドレッシングボルスタの前記第１の側面を覆う第１の密封部材と、
第２の密封部材であって、前記第２の密封部材を貫通して延びる治療開口を含む、第１の側面と第２の側面とを有し、前記第１の側面の第１の部分が前記第１の密封部材に結合される、第２の密封部材と、
前記第２の密封部材の前記第２の側面に結合されるように構成された第１の取付装置であって、前記第１の密封部材、前記第２の密封部材、および前記第１の取付装置が、前記組織部位を覆う密封空間を提供するように構成される、第１の取付装置と
を備える、ドレッシングアセンブリと、
第３の密封部材であって、前記第３の密封部材を貫通して延びる視認用開口を含むとともに、前記組織部位を取り囲むように構成可能である、第１の側面と第２の側面とを有し、前記第１の取付装置が、前記第３の密封部材の前記第１の側面に剥離可能に結合されるようになされる、第３の密封部材と、
前記第３の密封部材の前記第２の側面に結合されるように構成されるとともに、前記視認用開口により画定される前記組織部位の周囲の組織に剥離可能に結合されるようになされた第２の取付装置と
を備える、基部層と、
前記密封空間と流体連通して結合されるように構成された減圧源と
を備えることを特徴とするシステム。
【請求項２】
請求項１に記載のシステムにおいて、前記基部取付装置が剥離強度を有しかつ前記ドレッシング取付装置が剥離強度を有し、ならびに前記基部取付装置の前記剥離強度が前記ドレッシング取付装置の前記剥離強度よりも大きいことを特徴とするシステム。
【請求項３】
請求項１に記載のシステムにおいて、前記第１の取付装置が約２．０Ｎ／２５ｍｍ以下の剥離強度を有することを特徴とするシステム。
【請求項４】
請求項１に記載のシステムにおいて、前記第２の取付装置が約４．０Ｎ／２５ｍｍ以上の剥離強度を有することを特徴とするシステム。
【請求項５】
請求項１に記載のシステムにおいて、前記基部取付装置が剥離強度を有しかつ前記ドレッシング取付装置が剥離強度を有し、ならびに前記ドレッシング取付装置の前記剥離強度に対する前記基部取付装置の前記剥離強度の比が約２．０よりも大きいことを特徴とするシステム。
【請求項６】
請求項１に記載のシステムにおいて、前記第１の取付装置が第１の接着剤でありかつ前記第２の取付装置が第２の接着剤であることを特徴とするシステム。
【請求項７】
請求項１に記載のシステムにおいて、前記第３の密封部材が薄いポリマーフィルムを含むことを特徴とするシステム。
【請求項８】
請求項７に記載のシステムにおいて、前記薄いポリマーフィルムがポリウレタンを含むことを特徴とするシステム。
【請求項９】
請求項７に記載のシステムにおいて、前記薄いポリマーフィルムがポリエステルを含むことを特徴とするシステム。
【請求項１０】
請求項１に記載のシステムにおいて、前記ドレッシングアセンブリが、前記ドレッシングボルスタの治療部分に隣接して配置された密封リングを更に備えることを特徴とするシステム。
【請求項１１】
請求項１０に記載のシステムにおいて、前記密封リングが親水コロイドを含むことを特徴とするシステム。
【請求項１２】
請求項１０に記載のシステムにおいて、前記ドレッシングボルスタが、当接縁部内に配置された少なくとも２つの別個の部材を備え、かつ前記密封リングが、合体して一体部材を形成する少なくとも２つの別個の部材を備えることを特徴とするシステム。
【請求項１３】
請求項１０に記載のシステムにおいて、前記密封リングが、前記ドレッシングボルスタの前記治療部分の周囲に位置決めされるように構成された視認用開口を含むことを特徴とするシステム。
【請求項１４】
請求項１０に記載のシステムにおいて、前記密封リングが、前記ドレッシングボルスタの前記治療部分の側縁部に位置決めされるように構成されることを特徴とするシステム。
【請求項１５】
請求項１に記載のシステムにおいて、前記ドレッシングアセンブリが、前記ドレッシングボルスタの前記第２の側面に結合された快適層を更に備え、かつ前記快適層の少なくとも一部分が、露出されるとともに、前記組織部位に対して直接位置決めされるように構成されることを特徴とするシステム。
【請求項１６】
請求項１５に記載のシステムにおいて、前記快適層が、織布材料、不織布材料、ポリエステル製編地材料、および有窓フィルムからなる群から選択されることを特徴とするシステム。
【請求項１７】
請求項１５に記載のシステムにおいて、前記ドレッシングアセンブリが、前記ドレッシングボルスタの前記治療部分に隣接して配置された密封リングを更に備え、前記密封リングが、前記組織部位と前記快適層の露出される部分とを取り囲むように構成されることを特徴とするシステム。
【請求項１８】
請求項１７に記載のシステムにおいて、前記密封リングが、ドレープリング上に積層された密封材料と、前記ドレープリングを前記快適層にまたは前記ドレッシングボルスタに結合する接着剤とを含むことを特徴とするシステム。
【請求項１９】
請求項１７に記載のシステムにおいて、前記密封リングが前記快適層の少なくとも一部分に結合されることを特徴とするシステム。
【請求項２０】
請求項１に記載のシステムにおいて、前記第２の密封部材の前記第１の側面が、前記治療開口を通して露出される前記ドレッシングボルスタの前記第２の側面上に治療部分を形成するために前記ドレッシングボルスタの前記第２の側面の一部分を覆う第２の部分を含むことを特徴とするシステム。
【請求項２１】
組織部位を治療するためのシステムにおいて、
第１の側面と第２の側面とを有するドレッシングボルスタと、
前記ドレッシングボルスタを覆い、前記組織部位の上に密封空間を作り出すように構成された、第１の側面と第２の側面とを有する密封部材と、
前記密封部材の前記第２の側面に結合されるように構成されたドレッシング取付装置と
を備える、ドレッシングアセンブリと、
前記ドレッシング取付装置により前記密封部材に剥離可能に結合されるようになされる、第１の側面と第２の側面とを有する基部部材であって、前記基部部材の前記第２の側面に結合されるように構成されるとともに、前記組織部位を取り囲む組織に剥離可能に結合されるようになされた基部取付装置を含む、基部部材と、
前記密封空間と流体連通して結合されるように構成された減圧源と
を備えることを特徴とするシステム。
【請求項２２】
請求項２１に記載のシステムにおいて、前記基部取付装置が剥離強度を有しかつ前記ドレッシング取付装置が剥離強度を有し、ならびに前記基部取付装置の前記剥離強度が前記ドレッシング取付装置の前記剥離強度よりも大きいことを特徴とするシステム。
【請求項２３】
請求項２２に記載のシステムにおいて、前記ドレッシング取付装置の一部分に接触するドレッシング剥離部材を更に備え、前記ドレッシング剥離部材が前記基部部材の前記第１の側面を覆うようにかつ前記基部部材から取り外し可能であるように構成されることを特徴とするシステム。
【請求項２４】
請求項２１に記載のシステムにおいて、前記第１の取付装置が約２．０Ｎ／２５ｍｍ以下の剥離強度を有することを特徴とするシステム。
【請求項２５】
請求項２１に記載のシステムにおいて、前記第１の取付装置が約１．４Ｎ／２５ｍｍ以下の剥離強度を有することを特徴とするシステム。
【請求項２６】
請求項２１に記載のシステムにおいて、前記第２の取付装置が約４．０Ｎ／２５ｍｍ以上の剥離強度を有することを特徴とするシステム。
【請求項２７】
請求項２１に記載のシステムにおいて、前記第２の取付装置が約４．２Ｎ／２５ｍｍ以上の剥離強度を有することを特徴とするシステム。
【請求項２８】
請求項２１に記載のシステムにおいて、前記基部取付装置が剥離強度を有しかつ前記ドレッシング取付装置が剥離強度を有し、ならびに前記ドレッシング取付装置の前記剥離強度に対する前記基部取付装置の前記剥離強度の比が約２．０よりも大きいことを特徴とするシステム。
【請求項２９】
請求項２１に記載のシステムにおいて、前記基部取付装置が剥離強度を有しかつ前記ドレッシング取付装置が剥離強度を有し、ならびに前記ドレッシング取付装置の前記剥離強度に対する前記基部取付装置の前記剥離強度の比が約３．０よりも大きいことを特徴とするシステム。
【請求項３０】
請求項２１に記載のシステムにおいて、前記基部取付装置が剥離強度を有しかつ前記ドレッシング取付装置が剥離強度を有し、ならびに前記ドレッシング取付装置の前記剥離強度に対する前記基部取付装置の前記剥離強度の比が約２：１〜約６：１の範囲であることを特徴とするシステム。
【請求項３１】
請求項２１に記載のシステムにおいて、前記基部取付装置が剥離強度を有しかつ前記ドレッシング取付装置が剥離強度を有し、ならびに前記ドレッシング取付装置の前記剥離強度に対する前記基部取付装置の前記剥離強度の比が約３：１〜約６：１の範囲であることを特徴とするシステム。
【請求項３２】
請求項２１に記載のシステムにおいて、前記ドレッシング取付装置の一部分に接触するドレッシング剥離部材を更に備え、前記ドレッシング剥離部材が前記基部部材の前記第１の側面を覆うようにかつ前記基部部材から取り外し可能であるように構成されることを特徴とするシステム。
【請求項３３】
請求項３２に記載のシステムにおいて、前記ドレッシング剥離部材がポリエステルフィルムで構成されることを特徴とするシステム。
【請求項３４】
請求項３３に記載のシステムにおいて、前記ポリエステルフィルムがポリエチレンテレフタレート（ＰＥＴ）であることを特徴とするシステム。
【請求項３５】
請求項３２に記載のシステムにおいて、前記ドレッシング剥離部材が、前記密封部材の両端部に配置された少なくとも２つの剥離構成要素を含むことを特徴とするシステム。
【請求項３６】
請求項２１に記載のシステムにおいて、前記基部部材が、前記基部部材を貫通して延びる視認用開口を更に含むことを特徴とするシステム。
【請求項３７】
請求項２１に記載のシステムにおいて、前記基部部材が、前記基部部材を貫通して延びる視認用窓を更に含むことを特徴とするシステム。
【請求項３８】
請求項２１に記載のシステムにおいて、前記ドレッシングアセンブリが、前記ドレッシングボルスタの前記第２の側面に結合された密封リングを更に備え、前記密封リングが吸収剤を含むことを特徴とするシステム。
【請求項３９】
請求項２８に記載のシステムにおいて、前記密封リングが、前記吸収剤を含む親水コロイドを含むことを特徴とするシステム。
【請求項４０】
請求項２８に記載のシステムにおいて、前記吸収剤がカルボキシメチルセルロースを含むことを特徴とするシステム。
【請求項４１】
請求項２８に記載のシステムにおいて、前記密封リングが前記ドレッシングボルスタの周囲に位置決めされることを特徴とするシステム。
【請求項４２】
請求項２８に記載のシステムにおいて、前記密封リングが前記ドレッシングボルスタの側縁部に位置決めされることを特徴とするシステム。
【請求項４３】
請求項２８に記載のシステムにおいて、前記密封リングが、約７０〜約８０のショアタイプＯＯ硬さを有する密封材料で構成されることを特徴とするシステム。
【請求項４４】
請求項２８に記載のシステムにおいて、前記密封リングが約０．７ミリメートル〜約１．２５ミリメートルの厚さＴｓｒを有することを特徴とするシステム。
【請求項４５】
請求項２８に記載のシステムにおいて、前記密封リングが厚さＴｓｒを有し、前記密封部材が厚さＴｓｍを有し、かつ前記密封部材の前記厚さに対する前記密封リングの前記厚さの比Ｔｓｒ／Ｔｓｍが約２．７〜約７．０であることを特徴とするシステム。
【請求項４６】
請求項２１に記載のシステムにおいて、前記ドレッシングアセンブリが、第１の側面と第２の側面とを有する快適層を更に備え、前記快適層の前記第１の側面が前記ドレッシングボルスタの前記第２の側面に結合されることを特徴とするシステム。
【請求項４７】
請求項３６に記載のシステムにおいて、前記ドレッシングアセンブリが、前記快適層の前記第２の側面に結合された密封リングを更に備えることを特徴とするシステム。
【請求項４８】
請求項３６に記載のシステムにおいて、前記快適層が、織布材料、不織布材料、ポリエステル製編地材料、および有窓フィルムからなる群から選択されることを特徴とするシステム。
【請求項４９】
請求項２１に記載のシステムにおいて、前記基部取付装置に接触する底部剥離部材を更に備え、前記底部剥離部材が前記基部取付装置を覆うようにかつ前記基部取付装置から取り外し可能であるように構成されることを特徴とするシステム。
【請求項５０】
請求項３９に記載のシステムにおいて、前記底部剥離部材がポリエチレンテレフタレートで構成されることを特徴とするシステム。
【請求項５１】
組織部位に適用するためのドレッシングアセンブリにおいて、
第１の側面と第２の側面とを有するドレッシングボルスタと、
前記ドレッシングボルスタを覆い、前記組織部材の上に密封空間を作り出すように構成された、第１の側面と第２の側面とを有する密封部材と、
前記密封部材の前記第２の側面に結合されるように構成されたドレッシング取付装置と、
前記ドレッシング取付装置により前記密封部材に剥離可能に結合されるようになされる、第１の側面と第２の側面とを有する基部部材と、
前記基部部材の前記第２の側面に結合されるように構成されるとともに、前記組織部位を取り囲む組織に剥離可能に結合されるようになされた基部取付装置と
を備えることを特徴とするドレッシングアセンブリ。
【請求項５２】
請求項５１に記載のドレッシングアセンブリにおいて、前記基部取付装置が剥離強度を有しかつ前記ドレッシング取付装置が剥離強度を有し、ならびに前記基部取付装置の前記剥離強度が前記ドレッシング取付装置の前記剥離強度よりも大きいことを特徴とするドレッシングアセンブリ。
【請求項５３】
請求項５１に記載のドレッシングアセンブリにおいて、前記第１の取付装置が約１．４Ｎ／２５ｍｍ以下の剥離強度を有することを特徴とするドレッシングアセンブリ。
【請求項５４】
請求項５１に記載のドレッシングアセンブリにおいて、前記第２の取付装置が約４．２Ｎ／２５ｍｍ以上の剥離強度を有することを特徴とするドレッシングアセンブリ。
【請求項５５】
請求項５１に記載のドレッシングアセンブリにおいて、前記基部取付装置が剥離強度を有しかつ前記ドレッシング取付装置が剥離強度を有し、ならびに前記ドレッシング取付装置の前記剥離強度に対する前記基部取付装置の前記剥離強度の比が約３．０よりも大きいことを特徴とするドレッシングアセンブリ。
【請求項５６】
請求項５１に記載のドレッシングアセンブリにおいて、前記基部部材が、前記基部部材を貫通して延びる視認用開口を更に含むことを特徴とするドレッシングアセンブリ。
【請求項５７】
請求項５１に記載のドレッシングアセンブリにおいて、前記基部部材が、前記基部部材を貫通して延びる視認用窓を更に含むことを特徴とするドレッシングアセンブリ。
【請求項５８】
請求項５１に記載のドレッシングアセンブリにおいて、吸収剤を含むとともに第１の側面と第２の側面とを有する密封リングを更に備え、前記密封リングの前記第１の側面が、前記ドレッシングボルスタの前記第２の側面に結合されて前記ドレッシングボルスタの周囲に位置決めされ、前記ドレッシングボルスタの前記第２の側面の少なくとも一部分が露出されることを特徴とするドレッシングアセンブリ。
【請求項５９】
請求項５８に記載のドレッシングアセンブリにおいて、前記密封リングが、前記吸収剤を含む親水コロイドを含むことを特徴とするドレッシングアセンブリ。
【請求項６０】
請求項５８に記載のドレッシングアセンブリにおいて、前記吸収剤がカルボキシメチルセルロースを含むことを特徴とするドレッシングアセンブリ。
【請求項６１】
請求項５８に記載のドレッシングアセンブリにおいて、前記密封リングが前記ドレッシングボルスタの側縁部に位置決めされることを特徴とするドレッシングアセンブリ。
【請求項６２】
請求項５８に記載のドレッシングアセンブリにおいて、前記密封リングが、約７０〜約８０のショアタイプＯＯ硬さを有する密封材料で構成されることを特徴とするドレッシングアセンブリ。
【請求項６３】
請求項５８に記載のドレッシングアセンブリにおいて、前記密封リングが約０．７ミリメートル〜約１．２５ミリメートルの厚さＴｓｒを有することを特徴とするドレッシングアセンブリ。
【請求項６４】
請求項５１に記載のドレッシングアセンブリにおいて、前記ドレッシングアセンブリが、前記ドレッシングボルスタの前記第２の側面に結合された快適層を更に備え、かつ前記快適層の少なくとも一部分が、露出されるとともに、前記組織部位に対して直接位置決めされるように構成されることを特徴とするドレッシングアセンブリ。
【請求項６５】
請求項６４に記載のドレッシングアセンブリにおいて、前記快適層が、織布材料、不織布材料、ポリエステル製編地材料、および有窓フィルムからなる群から選択されることを特徴とするドレッシングアセンブリ。
【請求項６６】
請求項５１に記載のドレッシングアセンブリにおいて、前記ドレッシングボルスタが網状の連続気泡発泡体で構成されることを特徴とするドレッシングアセンブリ。
【請求項６７】
請求項５１に記載のドレッシングアセンブリにおいて、前記ドレッシングボルスタが、前記ドレッシングボルスタの前記第１の側面に配置された長手方向切り込みおよび横方向切り込みを有し、前記長手方向切り込みが前記横方向切り込みに対して垂直に位置決めされることを特徴とするドレッシングアセンブリ。
【請求項６８】
請求項５１に記載のドレッシングアセンブリにおいて、前記基部取付装置により前記基部部材の前記第２の側面に接触する底部剥離部材を更に備え、前記底部剥離部材が前記基部部材を覆うようにかつ前記基部部材から取り外し可能であるように構成されることを特徴とするドレッシングアセンブリ。
【請求項６９】
請求項６８に記載のドレッシングアセンブリにおいて、前記底部剥離部材が極性半結晶性ポリマーで構成されることを特徴とするドレッシングアセンブリ。
【請求項７０】
請求項６８に記載のドレッシングアセンブリにおいて、前記底部剥離部材がポリエチレンテレフタレートで構成されることを特徴とするドレッシングアセンブリ。